(57)【要約】      （修正有）【課題】水蒸気・ほこりが差込孔に連通する導電端子スロットを経由して電子製品の中に入ることを防止できる防水・防塵性能の良いオーディオジャックコネクタを提供する。【解決手段】オーディオジャックコネクタは、絶縁本体１０、複数の導電端子２０、固定部品３０、密封部品を含む。絶縁本体は本体部１２、本体部の片側に連結する一体成形の差込部１１を含む。差込部の前表面には後ろ向きに差込孔１１１が設置され、本体部の下表面には収納スロット１２１が設置される。収納スロットには差込孔と連通する複数の導電端子スロット１２２が設置され、導電端子は導電端子スロットの中に固定・設置される。固定部品は本体部の収納スロットに固定・設置され、複数の導電端子の外部を被覆している。密封部品はシールテープ４１、封止シート４２を含み、シールテープが収納スロットに被覆・接着し、かつ固定部品の外部を被覆することで、絶縁本体と固定部品の隙間を密封する。【選択図】図２
0003193305.tif 000002
【実用新案登録請求の範囲】
【請求項１】
オーディオジャックコネクタであって、
前記オーディオジャックコネクタは絶縁本体、複数の導電端子、固定部品、密封部品を含み、
絶縁本体は本体部、本体部の片側に連結する一体成形の差込部を含み、
差込部の前表面には後ろ向きに差込孔が設置されており、
本体部の下表面には後ろ向きに収納スロットが設置されており、
収納スロットには差込孔と連通する複数の導電端子スロットが設置され、
前記導電端子は前記導電端子スロットの中に固定・設置され、
固定部品は本体部の収納スロットに固定・設置され、複数の導電端子の外部を被覆する、
前記密封部品はシールテープを含み、  
前記シールテープは絶縁本体の収納スロットに被覆・接着し、かつ固定部品の外部を被覆することで、絶縁本体と固定部品の組立における隙間を密封することを特徴とするオーディオジャックコネクタ。
【請求項２】
前記差込部の後端面には、差込孔に対応する形で差込部の後端面を貫通し、かつ、差込孔と連通する円孔が設置され、
前記密封部品はさらに封止シートを含み、封止シートが差込部の円孔の外に接着・被覆することを特徴とする前記請求項１に記載のオーディオジャックコネクタ。
【請求項３】
前記差込部の後端面に対応する形で差込孔に取付溝が設置され、取付溝にはさらに前記差込部の後端面を貫通し、かつ、差込孔と連通する円孔が設置されることを特徴とする前記請求項2に記載のオーディオジャックコネクタ。
【請求項４】
前記それぞれの導電端子スロットは、相互に連通するクランプスロットと、差込孔と連通する接触スロットと、接合スロットとを含み、
それぞれの導電端子はクランプ部、クランプ部と連結する接触部、クランプ部の下端縁の中央から外へ湾曲・延伸して外へ拡張することにより形成される接合部を含み、
前記接合部には下向きに突起する半田バンプが形成され、
導電端子のクランプ部は導電端子スロットのクランプスロットにクランプし、
導電端子の接触部は導電端子スロットの接触スロットに収納され、かつ差込孔の中に伸びており、
導電端子の接合部は導電端子スロットの接触スロットに収納され、かつ接合部の半田バンプが本体部の下表面に突起することを特徴とする前記請求項1に記載のオーディオジャックコネクタ。
【請求項５】
前記本体部の下表面の前後両端それぞれが下向きに突起することにより係止柱が形成されており、
本体部の自由端の中央には外へ突出する取り付け部が形成され、
取り付け部には貫通する第1取り付け孔が設置され、
シールテープの前後両端は本体部の係止柱に対応し、それぞれには係止溝が設置され、
シールテープ側の中央には、第1取り付け孔に対応する形で、外へ延伸・貫通する第２取り付け孔が設置されており、
シールテープの前後に対応する形で両端には導電端子の半田バンプに対応する形で複数の開孔が設置されており、
本体部の柱状部は絶縁テープの係止溝にクランプし、
導電端子の半田バンプは、開孔を通過し、シールテープの下表面に突出している
ことを特徴とする前記請求項4に記載のオーディオジャックコネクタ。
【請求項６】
前記本体部の複数の導電端子スロットの間には上向きにへ突出する複数の固定孔が設置されており、
前記固定部品の上表面には本体部の固定孔に対応する形で上へ突出する複数の固定柱が設置され、
固定部品の固定柱は本体部の固定孔の中にクランプすることを特徴とする前記請求項1に記載のオーディオジャックコネクタ。
【考案の詳細な説明】
【技術分野】
【０００１】
本考案はコネクタに関し、特にオーディオジャックコネクタ（Audio Jack Connector）に関する。
【背景技術】
【０００２】
オーディオジャックコネクタはすでに各種の電子製品に広く適用されており、オーディオプラグとの連結によりオーディオ（音声周波）のシグナルを送信するために用いられる。近年、各種の小型電子製品、例えば、携帯電話、PDA、MP3、ノートパソコンなどの登場に伴い、オーディオジャックコネクタは前記製品に適用されることが更に重要となっている。従来のオーディオジャックコネクタは絶縁本体、絶縁本体の中に収納される複数の端子を含む。絶縁本体は本体部、本体部の片側に連結する一体成形の差込部を含み、差込部の前表面には後ろ向きに差込孔が設置され、本体部には差込孔と連通する複数の端子スロットが設置され、複数の端子それぞれは端子スロットの中に差込まれ、一端は差込孔の中に伸びてプラグと接触し、一端は電子製品の中の回線基板に溶接されることで、電気的接続を実現する。
【０００３】
しかし、前記オーディオジャックコネクタを使用する時、防水・防塵の性能は比較的悪くなり、水蒸気・微小なほこりは差込孔を経由して端子スロットの中における電子製品の中央の基板に入りやすい。
【考案の概要】
【考案が解決しようとする課題】
【０００４】
本考案の目的は前記従来技術における欠点を解決するため、簡単な構造を有する、かつ、防水・防塵性能の良いオーディオジャックコネクタを提供することである。
【０００５】
前記目的を達成するため、本考案により提供されるオーディオジャックコネクタは絶縁本体、複数の導電端子、固定部品、密封部品を含む。絶縁本体は本体部、本体部の片側に連結する一体成形の差込部を含み、差込部の前表面には後ろ向きに差込孔が設置され、本体部の下表面には後ろ向きに収納スロットが設置され、収納スロットには差込孔と連通する複数の導電端子スロットが設置され、前記導電端子は前記導電端子スロットの中に固定・設置される。固定部品は、本体部の収納スロットに固定・設置されており、複数の導電端子の外部を被覆する。前記密封部品はシールテープを含み、前記シールテープは絶縁本体の収納スロットに被覆・接着し、かつ固定部品の外部を被覆することで、絶縁本体と固定部品の組立における隙間を密封する。
【０００６】
さらなる改良としては、前記差込部の後端面には差込孔に対応する形で差込部の後端面を貫通し、かつ、差込孔と連通する円孔が設置され、前記密封部品はさらに封止シートを含み、封止シートが差込部の円孔の外に接着・被覆する。
【０００７】
さらなる改良としては、前記差込部の後端面に対応する形で取付溝が差込孔に設置され、取付溝にはさらに前記差込部の後端面を貫通し、かつ、差込孔と連通する円孔が設置される。
【０００８】
さらなる改良としては、前記それぞれの導電端子スロットは相互に連通するクランプスロット、差込孔と連通する接触スロット、接合スロットを含み、それぞれの導電端子はクランプ部、クランプ部と連結する接触部、クランプ部の下端縁の中央から外へ湾曲・延伸して外へ拡張することにより形成される接合部を含み、前記接合部は下向きに突起する半田バンプが形成され、導電端子のクランプ部は導電端子スロットのクランプスロットにクランプし、導電端子の接触部は導電端子スロットの接触スロットに収納され、かつ差込孔の中に伸びて、導電端子の接合部は導電端子スロットの接触スロットに収納され、かつ接合部の半田バンプが本体部の下表面に突起する。
【０００９】
さらなる改良としては、前記本体部の下表面の前後両端それぞれが下向きに突起することにより柱状部が形成されており、本体部の自由端の中央は外へ突出することにより取り付け部が形成されており、取り付け部には貫通する第1取り付け孔が設置され、シールテープの前後両端は本体部の柱状部に対応し、それぞれには係止溝が設置され、シールテープ側の中間は第1取り付け孔に対応する形で外へ延伸・貫通するて第２取り付け孔が設置され、シールテープの前後両端には導電端子の半田バンプに対応する形で複数の開孔が設置されており、本体部の柱状部は絶縁テープの係止溝にクランプし、導電端子の半田バンプは開孔を通過してシールテープの下表面に突出する。
【００１０】
さらなる改良としては、前記本体部の複数の導電端子スロットの間には上向きに突出する複数の固定孔が設置されており、前記固定部品の上表面は本体部の固定孔に対応する形で上へ突出して複数の固定柱が設置され、固定部品の固定柱は本体部の固定孔の中にクランプする。
【００１１】
前記に述べるように、本考案のオーディオジャックコネクタは、前記密封部品のシールテープが絶縁本体の収納スロットに被覆・接着し、かつ固定部品の外部を被覆することにより、絶縁本体と固定部品の組立における隙間を密封し、封止シートは差込部の円孔の外に接着・被覆する。従って、前記密封部品のシールテープ及び封止シートの構造設計は、水蒸気・ほこりが差込孔を経由して導電端子スロットにより電子製品の中に入ることを防止できる。
【図面の簡単な説明】
【００１２】
【図１】図1は本考案のオーディオジャックコネクタの立体図である。
【００１３】
【図２】図2は図1に示されるオーディオジャックコネクタの立体分解図である。
【００１４】
【図３】図3は図1に示されるオーディオジャックコネクタの絶縁本体の立体図である。
【００１５】
【図４】図4は図1に示されるオーディオジャックコネクタの固定部品の立体図である。
【考案を実施するための形態】
【００１６】
本考案の技術内容、構造の特徴、目的、効果を詳しく説明するため、以下のように、例を挙げて図面に組み合わせて詳しく説明する。
【００１７】
図１〜3に示すように、本考案のオーディオジャックコネクタ100は絶縁本体10、複数の導電端子20、固定部品30、密封部品40を含む。
【００１８】
前記絶縁本体10は略直方体状の本体部12、本体部12の片側に連結する一体成形の差込部11を含み、前記差込部11は円柱状であり、差込部11の前表面には後ろ向きに差込孔111が設置されており、前記差込部11の後端面には差込孔111に対応する形で取付溝112が設置されており、取付溝112にはさらに差込部11の後端面を貫通し、かつ、差込孔111と連通する円孔113が設置される。本体部12の下表面には後ろ向きに収納スロット121が設置され（本実施例において、収納スロット121の位置する端面は絶縁本体10の下であると定義する）、収納スロット121には差込孔111と連通する導電端子スロット122が設置され、前記導電端子スロット122それぞれは相互に連通するクランプスロット1221、差込孔111と連通する接触スロット1222、接合スロット1223を含む。前記本体部12の複数の導電端子スロット122の間には上向きに突出する複数の固定孔123が設置され、前記本体部12の下表面の前後両端それぞれが下向きに突起して係止柱124が形成され、本体部12の自由端の中央には外向きに突出する取り付け部125が形成されている。取り付け部125には貫通する第1取り付け孔1251が設置されており、前記オーディオジャックコネクタ100を電子製品（図面に示されていない）に取り付けるため、用いられる。
【００１９】
前記複数の導電端子20は前記導電端子スロット122の中に固定・設置され、具体的には、それぞれの導電端子20はクランプ部21、クランプ部21と連結する接触部22、クランプ部21の下端縁の中央から外へ湾曲・延伸して外へ拡張することにより形成される接合部23を含み、前記接合部23の中央には下向きに突起する半田バンプ231が形成されている。
【００２０】
図2、4に示すように、固定部品30は本体部12の収納スロット121に固定・設置され、複数の導電端子20の外部を被覆する。具体的には、固定部品30は複数の導電端子20のクランプ部21および接触部22の外部を被覆する、かつ絶縁本体10の本体部12の収納スロット121に固定・設置される。前記固定部品30の上表面には前記本体部12の複数の固定孔123に対応する形で上向きに突出する複数の固定柱31が設置されている。
【００２１】
図2、3に示すように、前記密封部品40はシールテープ41、円形封止シート42を含む。シールテープ41には導電端子20の接合部23の半田バンプ231に対応する形で複数の開孔411が設置されている。シールテープ41の前後両端は本体部12の係止柱124に対応し、それぞれには係止溝412が設置される。シールテープ41側の中央には第1取り付け孔1251に対応する形で外へ延伸・貫通する第２取り付け孔413が設置される。
【００２２】
図2〜4に示すように、本考案のオーディオジャックコネクタ100を組立てる時、前記複数の導電端子20は下から上まで本体部12における複数の導電端子スロット122の中に設置される。具体的には、導電端子20のクランプ部21は導電端子スロット122のクランプスロット1221の中にクランプし、導電端子20の接触部22は導電端子スロット122の接触スロット1222の中に収納され、かつ差込孔111に伸ばし、導電端子20の接合部23は導電端子スロット122の接合スロット1223の中に固定・設置されており、かつ固定部品30が複数の導電端子20のクランプ部21および接触部22の外に被覆・固定されている。固定部品30の固定柱31は本体部12の固定孔123の中にクランプする。前記シールテープ41は絶縁本体10の収納スロット121に被覆・接着し、かつ固定部品30の外部を被覆することで、絶縁本体10と固定部品30の組立における隙間を密封することにより、密封・防水の効果を達成する。導電端子20の接合部23の半田バンプ231は、開孔411を通過し、シールテープ41の下表面に突出している。本体部12の係止柱124は絶縁テープ40の係止溝412の中に係止し、封止シート42の差込部11の取り付けスロット112の円孔113の外に接着・被覆することで、防塵・防水の効果を達成する。
【００２３】
前記記載により、本考案のオーディオジャックコネクタ100は、密封部品40のシールテープ41が絶縁本体10の収納スロット121に被覆・接着し、かつ固定部品30の外部を被覆することにより、絶縁本体10と固定部品30の組立における隙間を密封し、封止シート42が差込部11の差込スロット112の円孔113の外に接着・被覆する。従って、前記密封部品40のシールテープ41及び封止シート42の構造設計は、水蒸気・ほこりが差込孔111を経由して導電端子スロット122により電子製品の中に入ることを防止できる。
【符号の説明】
【００２４】
１００  オーディオジャックコネクタ  
１０  絶縁本体
１１  差込部
１１１  差込孔
１１２  取り付けスロット  
１１３  円孔
１２  本体部  
１２１  収納スロット
１２２  導電端子スロット  
１２２１  クランプスロット
１２２２  接触スロット  
１２２３  接合スロット
１２３  固定孔  
１２４  係止柱
１２５  取り付け部  
１２５１  第1取り付け孔
２０  導電端子  
２１  クランプ部
２２  接触部  
２３  接合部
２３１  半田バンプ  
３０  固定部品
３１  固定柱  
４０  密封部品
４１  シールテープ  
４１１  開孔
４１２  係止溝  
４１３  第2取り付け孔
４２  封止シート
【図１】
0003193305.tif 000003
【図２】
0003193305.tif 000004
【図３】
0003193305.tif 000005
【図４】
0003193305.tif 000006